(57)【要約】【課題】二次電池の電圧及び電流に基づき、二次電池を充電する電流の値を、二次電池の劣化を考慮しつつ算出する。【解決手段】実施形態に係る充電制御装置は、二次電池の劣化モデル又は劣化マップと、充電の対象の二次電池の内部状態パラメータとにより算出される充電パターンに基づいて前記充電の対象の二次電池の充電を制御する。この充電パターンを内部状態パラメータの変更に基づいて更新する。【選択図】図１
2020092598.tif 000002
【特許請求の範囲】
【請求項１】
充電の対象である第１電池の充電又は放電時に計測された前記第１電池の電圧及び電流のデータに基づく前記第１電池の内部状態パラメータの推定値と、  第１参照データと、前記第１電池に対する劣化速度の指定値と、に基づき、前記第１電池のための充電パターンを算出する充電パターン算出部
を備え、
前記第１参照データは、二次電池の劣化速度と、前記二次電池に関する１つ以上の参照パラメータと、前記二次電池の充電電流と、の関係を少なくとも示すグラフ又は関数を少なくとも含む参照データのうち、前記推定値に基づき前記第１電池に対応するとされたものであり、
前記充電パターンは、前記参照パラメータのうちの１つである第１参照パラメータの値に対応する、前記充電電流の値を示す
充電パターン作成装置。
【請求項２】
前記第１参照データと、前記劣化速度の前記指定値とに基づき、前記劣化速度が前記指定値以下となるための前記充電電流の第１上限値と前記第１参照パラメータとの関係を示す第１上限値データを算出する上限値データ算出部
をさらに備え、
前記充電パターン算出部は、前記第１上限値データに基づき、前記充電パターンを算出する
請求項１に記載の充電パターン作成装置。
【請求項３】
前記第１参照データが、
前記二次電池の正極の劣化速度と、１つ以上の前記参照パラメータと、前記充電電流の前記正極における第２上限値と、の関係を少なくとも示す第２参照データと、
前記二次電池の負極の劣化速度と、１つ以上の前記参照パラメータと、前記充電電流の前記負極における第３上限値と、の関係を少なくとも示す第３参照データと、
を含み、
前記上限値データ算出部が、
前記正極の劣化速度が前記指定値以下となるための前記充電電流の前記第２上限値と前記第１参照パラメータとの関係を示す第２上限値データと、
前記負極の劣化速度が前記指定値以下となるための前記第３上限値と前記第１参照パラメータとの関係を示す第３上限値データと、
を算出し、
前記充電パターン算出部が、前記第２上限値データと前記第３上限値データとに基づき、前記第１上限値データを算出する
請求項２に記載の充電パターン作成装置。
【請求項４】
前記第１上限値が、前記第２上限値と前記第３上限値のうち小さい方の値以下である
請求項３に記載の充電パターン作成装置。
【請求項５】
前記充電パターンにおける前記充電電流を流す期間が、前記充電電流の値が一定な複数の区間により構成される
請求項１ないし４のいずれか一項に記載の充電パターン作成装置。
【請求項６】
前記第１参照パラメータが、前記第１電池の電圧である
請求項１ないし４のいずれか一項に記載の充電パターン作成装置。
【請求項７】
前記第１電池の充電又は放電時に計測された前記第１電池の電圧及び電流のデータに基づき、前記推定値を推定する電池特性推定部
をさらに備え、
前記電池特性推定部は、前記内部状態パラメータに基づき、電池特性の推定値を推定し、
前記電池特性の推定値に基づき、前記充電電流の値の変更が必要と判断される
請求項１ないし４のいずれか一項に記載の充電パターン作成装置。
【請求項８】
前記電池特性推定部が、前記第１電池の正極及び負極それぞれの初期充電量及び質量を前記内部状態パラメータとして算出し、電池容量又は開回路電圧を前記電池特性として算出して前記推定値とする
請求項７に記載の充電パターン作成装置。
【請求項９】
前記推定値に基づき、前記第１参照データを取得する参照データ取得部
をさらに備える請求項１ないし４のいずれか一項に記載の充電パターン作成装置。
【請求項１０】
前記第１電池に対する充放電を制御する充放電制御部と、
前記第１電池の充電又は放電時に前記第１電池の電圧及び電流を計測する計測部と、
請求項１ないし４のいずれか一項に記載の充電パターン作成装置と、
を備える充電制御装置。
【請求項１１】
前記充放電制御部は、前記充電パターン作成装置により算出された前記充電パターンに基づき、前記第１電池を充電する
請求項１０に記載の充電制御装置。
【請求項１２】
充電の対象である第１電池に対して、前記第１電池の内部状態パラメータを推定し、前記内部状態パラメータの推定値に基づき、前記第１電池のための充電パターンを算出する充電パターン作成方法であって、
前記第１電池の充電又は放電時に計測された前記第１電池の電圧及び電流のデータに基づき、前記第１電池の内部状態パラメータの推定値を推定する電池特性推定ステップと、  第１参照データと、前記第１電池に対する劣化速度の指定値と、に基づき、前記第１電池のための充電パターンを算出する充電パターン算出ステップと、
を備え、
前記第１参照データは、二次電池の劣化速度と、前記二次電池に関する１つ以上の参照パラメータと、前記二次電池の充電電流と、の関係を少なくとも示すグラフ又は関数を少なくとも含む参照データのうち、前記推定値に基づき前記第１電池に対応するとされたものであり、
前記充電パターンは、前記参照パラメータのうちの１つである第１参照パラメータの値に対応する、前記充電電流の値を示す
充電パターン作成方法。
【請求項１３】
充電の対象である第１電池の電圧及び電流のデータに基づく前記第１電池の内部状態パラメータの推定値と、第１参照データと、前記第１電池に対する劣化速度の指定値と、に基づき、前記第１電池のための充電パターンを算出する充電パターン算出ステップ
を備え、
前記第１参照データは、二次電池の劣化速度と、前記二次電池に関する１つ以上の参照パラメータと、前記二次電池の充電電流と、の関係を少なくとも示すグラフ又は関数を少なくとも含む参照データのうち、前記推定値に基づき前記第１電池に対応するとされたものであり、
前記充電パターンは、前記参照パラメータのうちの１つである第１参照パラメータの値に対応する、前記充電電流の値を示す
プログラム。
【請求項１４】
充電の対象である第１電池と、
前記第１電池を充電する充電制御装置と、
を備えた蓄電システムであって、
前記充電制御装置は、
前記第１電池の充電又は放電時に計測された前記第１電池の電圧及び電流のデータに基づく前記第１電池の内部状態パラメータの推定値と、第１参照データと、前記第１電池に対する劣化速度の指定値と、に基づき、前記第１電池のための充電パターンを算出する充電パターン算出部
を備え、
前記第１参照データは、二次電池の劣化速度と、前記二次電池に関する１つ以上の参照パラメータと、前記二次電池の充電電流と、の関係を少なくとも示すグラフ又は関数を少なくとも含む参照データのうち、前記推定値に基づき前記第１電池に対応するとされたものであり、
前記充電パターンは、前記参照パラメータのうちの１つである第１参照パラメータの値に対応する、前記充電電流の値を示し、
前記第１電池が、前記充電パターンに沿って充電される
蓄電システム。
【発明の詳細な説明】
【技術分野】
【０００１】
本発明の実施形態は、充電パターン作成装置、充電制御装置、充電パターン作成方法、プログラム、及び蓄電システムに関する。
【背景技術】
【０００２】
情報関連機器、通信機器等の小型化に伴い、これらの機器用の電源として、エネルギー密度が高く、小型軽量化が可能なリチウムイオン二次電池が広く普及している。また、電気自動車（ＥＶ）、自然エネルギー発電の分野でも、二次電池が注目されている。これに伴い、二次電池の充電時間を短くする急速充電の要望も高まりつつある。
【０００３】
二次電池の充電方法として、定電流又は定電力による充電方法が行われている。当該充電方法では、例えば、二次電池が設定電圧になるまでは定電流で充電が行われ、二次電池が設定電圧になった後は、その設定電圧を保つように、電流の値が制御される。
【０００４】
上記充電方法にて急速充電を行うには、定電流にて充電が行われる期間（定電流充電区間）において、定電流の電流値を高く設定することが考えられる。しかし、電流値が高いと、電池容量、内部抵抗といった二次電池の蓄電池性能を著しく低下させてしまう。また、蓄電池の劣化が早まることにより、蓄電池の寿命をも短くしてしまうという問題がある。
【０００５】
蓄電池の寿命を短くしないために、二次電池の特性に基づき、定電流の値を調整する方法が知られている。例えば、定電流充電区間が二次電池の電極の内部抵抗等に基づく複数の区間に分けられ、各区間において定電流の値が調整されるといった方法が知られている。しかし、内部抵抗など電極の特性は、使用に応じて変化するため、正確に電池特性を把握しなければ、急速充電の効率が低下するだけでなく、蓄電池の劣化も加速される可能性がある。また、内部抵抗を測定する高度な処理が必要となり、処理負荷の増加、機器の大型化といった問題が生ずる。又は、外部装置に測定させるために、二次電池を外すといった手間が生ずる。
【先行技術文献】
【特許文献】
【０００６】
【特許文献１】国際公開２０１３／０４６６９０号
【特許文献２】特開２０１２−２５１８０６号公報
【発明の概要】
【発明が解決しようとする課題】
【０００７】
二次電池の電圧及び電流に基づき、二次電池を充電する電流の値を、二次電池の劣化を考慮しつつ算出する。
【課題を解決するための手段】
【０００８】
実施形態に係るの充電制御装置は、二次電池の劣化モデル又は劣化マップと、充電の対象の二次電池の内部状態パラメータとにより算出される充電パターンに基づいて前記充電の対象の二次電池の充電を制御する。この充電パターンを内部状態パラメータの変更に基づいて更新する。
【図面の簡単な説明】
【０００９】
【図１】第１の実施形態に係る充電制御装置を備えた蓄電システムの概略構成の一例を示すブロック図。
【図２】充電制御装置の概略処理のフローチャートの一例を示す図。
【図３】充電時の電流及び電圧に関するデータの一例を示す図。
【図４】内部状態パラメータ算出部の処理のフローチャートの一例を示す図。
【図５】電池特性算出部の処理の流れを示すフローチャートの一例を示す図。
【図６】充電量と開回路電圧との関係を表すグラフ（充電量―ＯＣＶ曲線）の一例を示す図。
【図７】ＳＯＣと開回路電圧との関係を表すグラフ（ＳＯＣ‐ＯＣＶ曲線）の一例を示す図。
【図８】各温度におけるＳＯＣと反応抵抗Ｒｃｔとの関係の一例を示す図。
【図９】各抵抗成分について説明する図。
【図１０】劣化モデルについて説明する図。
【図１１】劣化マップについて説明する図。
【図１２】充電電流の上限値の算出について説明する図。
【図１３】充電パターンの算出について説明する図。
【図１４】充電パターン算出処理のフローチャートの一例を示す図。
【図１５】充電パターン更新処理のフローチャートの一例を示す図。
【図１６】第２の実施形態に係る蓄電システムの概略構成の一例を示すブロック図。
【図１７】劣化情報取得処理のフローチャートの一例を示す図。
【図１８】実施形態におけるハードウェア構成の一例を示すブロック図。
【発明を実施するための形態】
【００１０】
以下、図面を参照しながら、実施形態について説明する。
【００１１】
（第１の実施形態）
【００１２】
図１は、第１の実施形態に係る充電制御装置を備えた蓄電システムの概略構成の一例を示すブロック図である。本蓄電システムは、蓄電池１（第1電池）と、充電制御装置２とを備える。充電制御装置２は、充放電制御部２１と、計測部２２と、ＳＯＣ（充電状態：Ｓｔａｔｅ  ｏｆ  Ｃｈａｒｇｅ）推定部２３と、記憶部２４と、電池特性推定部２５と、内部抵抗補正部２６と、充電パターン作成部２７とを備える。電池特性推定部２５は、充放電履歴記録部２５１、内部状態パラメータ算出部２５２、電池特性算出部２５３を備える。充電パターン作成部２７は、劣化情報記憶部２７１と、劣化情報取得部２７２と、上限値データ算出部２７３と、充電パターン算出部２７４と、を備える。
【００１３】
なお、充電制御装置２をＣＰＵ回路等にて実現し、蓄電池１に備え付けることにより、充電制御装置２を１つの蓄電池１として実現してもよい。
【００１４】
蓄電池１は、充電制御装置２により充電が行われる対象の電池である。蓄電池１は単位電池（セル）でもよいし、１つ以上の電池パックを備えてもよい。各電池パックは、１つ以上の電池モジュールを備えてもよい。各電池モジュールは、複数の単位電池を備えてもよい。各電池パックが備える電池モジュールの数は、同じでも異なっていてもよい。また、各電池モジュールが備える単位電池の数は、同じでも異なっていてもよい。
【００１５】
単位電池は、充放電が可能な二次電池であればよい。ここでは、リチウムイオン二次電池を想定して説明する。
【００１６】
なお、以降の説明において、特に断りがなければ、蓄電池という用語には、電池パック、電池モジュール、単位電池が含まれるものとする。
【００１７】
蓄電池１は、例えば、携帯電話、ノートパソコン、電気自転車、電気自動車、ドローンといった蓄電池を搭載した機器などの蓄電池でもよい。また、例えば、個人住宅、ビルディング、工場などの建物ごとに設置される定置用蓄電池でもよい。発電システムと連携した蓄電池、又は系統連系した蓄電池でもよい。
【００１８】
充電制御装置２は、蓄電池１に対して行われる充放電の制御を行う。また、接続された蓄電池１の状態の推定も行う。具体的には、蓄電池１に対し充放電を行わせ、当該充放電にて計測された電圧及び電流のデータに基づき、蓄電池１の状態に関する情報である内部状態パラメータ及び電池特性を推定する。内部状態パラメータ及び電池特性については後述する。
【００１９】
なお、使用頻度又は使用回数に基づき蓄電池１の状態を予測する方法もあるが、使用頻度又は使用回数が同じであっても、使用環境又は負荷などにより蓄電池の状態は異なる。ゆえに、高精度に蓄電池１の状態を予測するために、充電制御装置２は、充放電等の検査による計測値から蓄電池１の状態又は性能を予測する。
【００２０】
また、充電制御装置２は、蓄電池１の状態に応じた充電パターンを作成する。充電パターンとは、蓄電池１を充電するために、蓄電池１に流す電流の値を示すものを想定する。つまり、充電パターンは、蓄電池１の充電する際の制約条件を示す。なお、充電するために流す電流を充電電流と記載する。そして、充電制御装置２は、算出された充電パターンに基づき、蓄電池１を充電する。
【００２１】
蓄電池１は、使用された結果、状態が変化する。この状態の変化により、蓄電池１の性能が劣化する。蓄電池１が劣化する前の充電パターンにて、劣化した後の蓄電池１を充電すると、充電の効率が低下するだけでなく、蓄電池１の劣化も加速される可能性がある。ゆえに、充電の対象の蓄電池１の状態を把握した上で、充電の対象の蓄電池１に適した充電パターンを算出する必要がある。適した充電方法にて充電を行うことにより、蓄電池１の劣化を促進させずに、かつ充電速度を速めることができる。また、蓄電池１の寿命の低下を防ぐことができる。さらに、蓄電池１の劣化の速度を大きくするような充電条件、例えば大電流による充電や高温下での充電では発火などの安全性のリスクが高まる。本実施形態により算出される充電パターンは、蓄電池１の劣化の速度を抑制する条件を満たしており、必然的に充電時の安全性を確保することができる。
【００２２】
なお、充電制御装置２は、充電パターンの算出処理を行うために、劣化情報（参照データ）を用いるとする。劣化情報については、後述する。また、充電制御装置２の動作の詳細については、後述する。
【００２３】
なお、上記で説明したシステム構成は一例であり、上記の構成に限られるものではない。例えば、図１では、充電制御装置２は記憶部２４と、劣化情報記憶部２７１とを備えているが、記憶部２４と劣化情報記憶部２７１とをまとめた１つの記憶部としてもよい。また、充電制御装置２が他の装置などと接続され、充電制御装置２から他の装置に充電パターンが出力されてもよい。出力方法は、特に限られるものではない。ファイルでも、メールでも、画像でもよい。内部抵抗補正部２６は、電池特性推定部２５に含めてもよい。
【００２４】
また、通信又は電気信号により、充電制御装置２から処理に必要な情報を受取り、処理結果を充電制御装置２に渡すことができれば、充電制御装置２の各構成要素は、充電制御装置２の外部に存在してもよい。例えば、通信又は電気信号により、充電制御装置２から電池特性等を受取り、充電パターンを充電制御装置２に渡すことができれば、充電パターン作成部２７は、充電制御装置２の外部に存在する装置であってもよい。
【００２５】
図２は、充電制御装置の概略処理のフローチャートの一例を示す図である。図２（Ａ）は蓄電池１の状態を把握するための処理である。当該処理は、劣化などにより変化した蓄電池１の状態を把握するために行われるものであり、一定期間経過ごとに行われることを想定する。図２（Ｂ）は、充電パターンを算出するための処理である。当該処理は、蓄電池１の充電パターンを初めて作成する場合、又は蓄電池１の状態に変化があったと判断されて充電パターンを再作成する場合に、図２（Ａ）の処理の後に行われることを想定する。なお、上記のタイミング以外にも行われてよい。
【００２６】
蓄電池１の状態を把握するための処理について説明する。充電制御装置２は、蓄電池１に対して、所定条件における充電（又は放電）の指示を行う（Ｓ１０１）。充電制御装置２は、蓄電池１からの充電（放電）結果を取得し（Ｓ１０２）、充電結果の解析を行う（Ｓ１０３）。充電結果の解析とは、充電結果に基づき、各単位電池の内部状態パラメータ及び電池特性（セル特性）を算出することである。具体的には、充電時又は放電時に計測された電流及び電圧のデータに基づき、内部状態パラメータを推定する。また、内部状態パラメータに基づき、電池特性の推定を行う。
【００２７】
内部状態パラメータは、単位電池の状態を示すものである。内部状態パラメータには、正極容量（正極の質量）、負極容量（負極の質量）、ＳＯＣずれ、及び内部抵抗が含まれることを想定する。ＳＯＣずれは、正極の初期充電量と、負極の初期充電量との差を意味する。
【００２８】
電池特性は、内部状態パラメータから算出することができるものであり、蓄電池１の電圧等の特性を示す。電池特性には、電池容量、開回路電圧（ＯＣＶ：Ｏｐｅｎ  Ｃｉｒｃｕｉｔ  Ｖｏｌｔａｇｅ）、ＯＣＶ曲線などが含まれることを想定する。また、内部抵抗は電池特性にも含めてよい。ＯＣＶ曲線は、蓄電池に関する何らかの指標と開回路電圧との関係を示すグラフ（関数）を意味する。電池容量は、正極容量の範囲と負極容量の範囲とが重なる範囲である。ＳＯＣが１００％のときは正極と負極の電位差が電池の充電終止電圧となり、ＳＯＣが０％のときは正極と負極の電位差が電池の放電終止電圧となる。このように、電池容量は充電量に基づき算出することができる。
【００２９】
充電パターンを算出するための処理について説明する。充電制御装置２は、劣化情報記憶部２７１から、劣化情報を取得する（Ｓ２０１）。そして、算出された内部状態パラメータ又は電池特性（セル特性）に関する劣化情報と、劣化速度の指定値と、に基づき、充電パターンを算出する（Ｓ２０２）。詳細は後述する。充電制御装置２は、算出された充電パターンに従って、蓄電池１を充電する（Ｓ２０３）。これにより、蓄電池１に適した充電方法にて充電が行われる。
【００３０】
次に、充電制御装置２が備える構成要素について説明する。
【００３１】
充放電制御部２１は、蓄電池１に対し、所定条件での充放電の指示を行う。充放電は、蓄電池１の内部状態パラメータを計測するために行われる。充放電は、単位電池の劣化の進行により、蓄電池１の状態の変化が無視できなくなる前に、行われる必要がある。ゆえに、充放電は、電池特性の変化を考慮して適切に定められた一定期間又は時刻ごとに行われる。なお、充放電制御部２１は、図示しない入力部を介して、使用者、他のシステムなどからの指示を受け付けた場合も、充放電の指示を行ってもよい。
【００３２】
また、充放電制御部２１は、充電パターン作成部２７が作成した充電パターンに基づき、蓄電池１を充電する。なお、充電制御装置２は充電パターンの作成までを行い、充電パターンに基づく充電は、充電制御装置２以外の装置が行ってもよい。
【００３３】
計測部２２は、蓄電池１に関する情報を計測する。計測される情報は、単位電池の正極端子と負極端子との間の電圧と、単位電池に流れる電流と、単位電池の温度などがある。計測部２２の計測データには、蓄電池１の充電又は放電時に計測された蓄電池１の、電圧、電流、温度などのデータが含まれる。
【００３４】
ＳＯＣ推定部２３は、計測部２２の計測データに基づき、蓄電池１の現時点でのＳＯＣ（充電状態）を推定する。なお、電池特性推定部２５が蓄電池１の現在の状態に基づき算出したＳＯＣ−ＯＣＶ曲線を用いて、ＳＯＣが推定されてもよい。
【００３５】
記憶部２４は、電池特性推定部２５に係る処理を行うために用いるデータが記憶される。例えば、単位電池の正極又は負極の充電量と、電位との関係を示す関数などが格納される。その他のデータが記憶されてもよい。
【００３６】
電池特性推定部２５は、計測部２２の計測データに基づき、蓄電池１の現時点における内部状態パラメータと電池特性を算出する。電池特性が不要な場合は、電池特性は算出されなくともよい。電池特性には、前述のとおり、電池容量、内部抵抗、開回路電圧（ＯＣＶ）、ＯＣＶ曲線が含まれる。ＯＣＶ曲線（関数）は、例えば、二次電池の開回路電圧（ＯＣＶ）と、二次電池の充電状態又は充電された電荷量との関係を示す関数でもよい。ＳＯＣとＯＣＶとの関係を示すＳＯＣ−ＯＣＶグラフでもよい。充電量とＯＣＶとの関係を示す充電量−ＯＣＶグラフでもよい。算出するＯＣＶ曲線の種類は、予め定めておけばよい。
【００３７】
電池特性の算出には、様々な電池特性測定方法を用いることができる。具体的には、実際に電流を流して電池容量の測定を行う充放電試験、主に内部抵抗値の測定を行う電流休止法、交流インピーダンス測定などの電気化学的測定などがある。また、これらを組み合わせて測定してもよい。また、充放電曲線を解析して、簡易的に電池特性を推定する方法を用いてもよい。
【００３８】
電池特性推定部２５の内部構成について説明する。
【００３９】
充放電履歴記録部２５１は、蓄電池１の充電時又は放電時に、計測部２２で計測された、電圧、電流、及び温度などのデータ（履歴）を記録する。当該記録は、蓄電池１の充電の開始から、蓄電池１の充電の終了まで、一定時間間隔ごとに繰り返し行われる。この時間間隔は、当該記録を用いる処理に応じて、任意に設定すればよい。例えば、０．１秒から１秒間隔程度に設定することが考えられる。記録される時刻は、絶対時刻でも、充電が開始されてからの相対時刻でもよい。また、充放電履歴記録部２５１の処理が一定時間間隔で繰り返されている場合は、時刻の記録は省略してもよい。
【００４０】
図３は、充電時の電流及び電圧に関するデータの一例を示す図である。図３に示すデータは、二次電池の充電方法として一般的に用いられる定電流定電圧充電の一例である。図３の破線は、電流履歴を表し、実線は電圧履歴を表す。
【００４１】
後述する内部状態パラメータ算出部２５２の処理においては、例えば、定電流定電圧充電全体の充電履歴、又は定電流充電区間（図３のｔ０からｔ１の間）の充電履歴のみを用いてもよい。なお、充電は必ずしもＳＯＣが０％のときから開始されるわけではなく、ＳＯＣが２０％などのときから開始されてもよい。
【００４２】
内部状態パラメータ算出部２５２は、充放電履歴記録部２５１が記録した履歴に基づき、内部状態パラメータである、単位電池の正極又は負極を構成する活物質の量、初期充電量、単位電池の内部抵抗をそれぞれ算出する。
【００４３】
内部状態パラメータ算出部２５２は、活物質量及び内部抵抗に基づき蓄電池電圧を算出する関数を利用する。蓄電池充電時又は放電時の電流データ及び電圧データ、並びに当該関数に基づき算出された蓄電池電圧と、測定された電圧との差が少なくなるような活物質量と内部抵抗を回帰計算により求める。なお、正極が複数の活物質から構成されてもよいが、本実施形態では正極、負極がそれぞれ１種類の活物質からなる二次電池を例にとって説明する。
【００４４】
正極、負極がそれぞれ１種類の活物質からなる二次電池を充電する場合、時刻ｔにおける電圧（端子電圧）Ｖｔは、次式で表すことができる。
【数１】
2020092598.tif 000003
Ｉｔは時刻ｔにおける電流値、ｑｔは時刻ｔにおける蓄電池の充電量を表す。ｆｃは正極の充電量と電位との関係を示す関数、ｆａは負極の充電量と電位との関係を示す関数を表す。ｑｏｃは正極の初期充電量、Ｍｃは正極の質量を表す。ｑｏａは負極の初期充電量、Ｍａは負極の質量を表す。Ｒは内部抵抗である。
【００４５】
電流値Ｉｔには、充放電履歴記録部２５１により記録された電流データが用いられる。充電量ｑｔは、電流値Ｉｔを時間積分することにより算出される。関数ｆｃ及び関数ｆａは、関数情報として、記憶部２４に記録されているものとする。
【００４６】
その他の正極の初期充電量ｑｏｃ、正極の質量Ｍｃ、負極の初期充電量ｑｏａ、負極の質量Ｍａ、及び内部抵抗Ｒの５つの値（パラメータセット）は、回帰計算によって推定される。なお、各極の活物質量は、各極の質量の所定の割合とみなして、算出されてもよい。
【００４７】
図４は、内部状態パラメータ算出部２５２の処理のフローチャートの一例を示す図である。内部状態パラメータ算出部２５２の処理は、蓄電池１の充電が終了したのち開始される。
【００４８】
内部状態パラメータ算出部２５２は、初期化を行い、前述のパラメータセットに初期値を設定し、回帰計算の繰り返し回数を０に設定する（Ｓ３０１）。初期値は、例えば、前回の活物質量算出処理が行われた際に算出された値でもよいし、想定され得る値などを用いてもよい。
【００４９】
内部状態パラメータ算出部２５２は、次式で表される残差Ｅを計算する（Ｓ３０２）。
【数２】
2020092598.tif 000004
【００５０】
内部状態パラメータ算出部２５２は、パラメータセットの更新ステップ幅を計算する（Ｓ３０３）。パラメータセットの更新ステップ幅は、例えば、Ｇａｕｓｓ−Ｎｅｗｔｏｎ法、Ｌｅｖｅｎｂｅｒｇ−ｍａｒｑｕａｒｄｔ法などを用いて算出することができる。
【００５１】
内部状態パラメータ算出部２５２は、更新ステップ幅の大きさが、予め定められた大きさ未満であるかどうかを判定する（Ｓ３０４）。更新ステップ幅の大きさが予め定められた大きさ未満であった場合（Ｓ３０４のＮＯ）は、内部状態パラメータ算出部２５２は、計算が収束したと判定し、現在のパラメータセットを出力する（Ｓ３０７）。更新ステップ幅の大きさが予め定められた閾値以上であった場合（Ｓ３０４のＹＥＳ）は、回帰計算の繰り返し回数が、予め定められた値を超えているかを確認する（Ｓ３０５）。
【００５２】
回帰計算の繰り返し回数が予め定められた値を超えている場合（Ｓ３０５のＹＥＳ）は、現在のパラメータセットを出力する（Ｓ３０７）。回帰計算の繰り返し回数が予め定められた回数以下であった場合（Ｓ３０５のＮＯ）は、パラメータセットにＳ３０３で算出した更新ステップ幅を加算し、回帰計算の繰り返し回数を１つ加算する（Ｓ３０６）。そして、再度、残差の計算に戻る（Ｓ３０２）。以上が、内部状態パラメータ算出部２５２の処理の流れを示すフローチャートである。
【００５３】
本実施形態においては、内部状態パラメータ算出部２５２の入力として充電履歴を用いたが、放電履歴を用いても、同様に活物質量を算出することは可能である。なお、放電履歴を用いる場合にも、内部状態パラメータ算出部２５２の処理の流れ及び用いられるパラメータは、充電履歴を用いて活物質量を算出する場合と同一のものを用いることが可能である。
【００５４】
電池特性算出部２５３は、蓄電池１の電池特性である開回路電圧算を算出する。また、電池特性算出部２５３は、内部状態パラメータ算出部２５２により算出された、正極の初期充電量ｑｏｃ、正極の質量Ｍｃ、負極の初期充電量ｑｏａ、負極の質量Ｍａを利用し、蓄電池の充電量と開回路電圧との関係を算出する。
【００５５】
図５は、電池特性算出部２５３の処理の流れを示すフローチャートの一例を示す図である。このフローチャートは、内部状態パラメータ算出部２５２の処理が終了した後に開始される。このフローチャートでは、充電量ｑｎを一定の値△ｑｎにて増減し、開回路電圧が下限値未満から下限値以上になる充電量ｑｎ0を発見した上で、ｑｎ0を初期値として、開回路電圧が上限値を超えるまで、△ｑｎごとにｑｎを増加させていき、増加の度に、そのときの充電量と開回路電圧を記録する。これにより、開回路電圧が下限値から上限値までの範囲における充電量と開回路電圧との関係を算出することができる。充電量ｑｎ0と開回路電圧が上限値のときの充電量ｑｎとの差が電池容量となる。
【００５６】
電池特性算出部２５３は、充電量ｑｎの初期値を設定する（Ｓ４０１）。ｑｎの初期値は、０又は０よりも蓄電池１の公称容量の数％程度小さい値にすればよい。具体的には、蓄電池１の公称容量が１０００ｍＡｈであれば−５０ｍＡｈから０ｍＡｈ程度の範囲に設定すればよい。
【００５７】
電池特性算出部２５３は、開回路電圧を算出する（Ｓ４０２）。開回路電圧の算出には、次式を用いることができる。
【数３】
2020092598.tif 000005
【００５８】
次に、電池特性算出部２５３は、算出された開回路電圧を、予め定められた蓄電池下限電圧と比較する（Ｓ４０３）。蓄電池下限電圧は、蓄電池１に用いられる正極活物質と負極活物質との組み合わせにより定まる値である。具体的には、正極活物質、負極活物質それぞれについて、安全性、寿命、抵抗などの観点から各観点それぞれの適切な使用範囲の電圧を定め、それらの組み合わせにより、蓄電池としての使用範囲の下限及び上限電圧を決定する。
【００５９】
開回路電圧が予め定められた下限電圧未満でない場合（Ｓ４０３のＮＯ）は、充電量ｑｎからΔｑｎを減算し（Ｓ４０４）、再度、開回路電圧を算出する（Ｓ４０２）。開回路電圧が予め定められた下限電圧未満である場合（Ｓ４０３のＹＥＳ）は、電池特性算出部２５３は、充電量ｑｎにΔｑｎを加算する（Ｓ４０５）。これらにより、充電量ｑｎは下限値に近づく。Δｑｎは任意の値に設定可能である。例えば、蓄電池１の公称容量の１／１０００から１／１００程度にすることが考えられる。具体的には蓄電池１の公称容量が１０００ｍＡｈであれば１ｍＡｈから１０ｍＡｈ程度の範囲に設定することが考えられる。
【００６０】
電池特性算出部２５３は、加算された充電量ｑｎ＋Δｑｎを用いて、開回路電圧を算出する（Ｓ４０６）。そして、電池特性算出部２５３は、算出された開回路電圧を、前述の下限電圧と比較する（Ｓ４０７）。開回路電圧が下限電圧未満であった場合（Ｓ４０７のＮＯ）は、Ｓ４０５に戻り、再度、充電量ｑｎにΔｑｎを加算する（Ｓ４０５）。開回路電圧が下限電圧以上であった場合（Ｓ４０７のＹＥＳ）は、開回路電圧が下限値未満から下限値以上になったため、このときの充電量ｑｎをｑｎ0とし、充電量ｑｎ0と開回路電圧Ｅｎを合わせて記録する（Ｓ４０８）。なお、この充電量ｑｎ0の値を基準値として０と表してもよい。その場合は、以降の記録の際に、充電量ｑｎの値からｑｎ0の値を引いた値を記録する。
【００６１】
電池特性算出部２５３は、充電量ｑｎにΔｑｎを加算し（Ｓ４０９）、開回路電圧を算出し（Ｓ４１０）、充電量ｑｎからｑｎ0を引いた値と、算出された開回路電圧Ｅｎを記録する（Ｓ４１１）。
【００６２】
電池特性算出部２５３は、算出された開回路電圧と予め定められた蓄電池の上限電圧とを比較する（Ｓ４１２）。蓄電池の上限電圧は、蓄電池１に用いられる正極活物質と負極活物質の組み合わせによって定まる値である。開回路電圧が予め定められた上限電圧未満であった場合（Ｓ４１２のＮＯ）は、再度、充電量ｑｎにΔｑｎを加算する処理に戻る（Ｓ４０９）。開回路電圧が予め定められた上限電圧以上となった場合（Ｓ４１２のＹＥＳ）は、処理を終了する。以上が、電池特性算出部２５３の処理の流れを示すフローチャートである。
【００６３】
図６は、充電量と開回路電圧との関係を表すグラフ（充電量―ＯＣＶ曲線）の一例を示す図である。図６（Ａ）は電池特性算出部２５３により求められた現在の状態における充電量―ＯＣＶ曲線である。図６（Ｂ）は、図６（Ａ）に示すグラフの縦軸を、下限電圧から上限電圧までにした図である。
【００６４】
図７は、ＳＯＣと開回路電圧との関係を表すグラフ（ＳＯＣ‐ＯＣＶ曲線）の一例を示す図である。横軸が、充電量ではなく、ＳＯＣである点が図６と異なる。図７は、図６（Ｂ）に示すグラフをＳＯＣ−ＯＣＶ曲線に変換したグラフ（実線）と、初期状態の蓄電池のＳＯＣ−ＯＣＶ曲線（破線）とを、重ねて表示したものである。図７の破線が初期状態の蓄電池の開回路電圧を、実線が蓄電池の劣化などによる変化後（現在）の蓄電池の開回路電圧を表す。ＳＯＣは、満充電容量に対して現在充電されている電荷量の割合を示し、０から１又は０から１００％の間の値で表される。
【００６５】
充電量からＳＯＣへの変換は、充電量―ＯＣＶ曲線により算出される電池容量と充電量を用いて、行われればよい。なお、ここでの説明において、単に充電状態と称しているものには、ＳＯＣだけでなく、充電量なども含まれるものとする。
【００６６】
変化後の曲線は、容量の減少に伴い、曲線の長さが短くなるが、図７によれば、曲線の長さだけでなく形状自体が変化していることがわかる。例えば、開回路電圧に基づいて充電状態（ＳＯＣ）を推定する場合に、計測された開回路電圧がＡであるとき、正しい充電状態（現在の充電状態）はＢ１となる。しかし、開回路電圧の曲線が変形しないとみなした場合、つまり、初期状態のおけるＳＯＣ−ＯＣＶ曲線で開回路電圧を求めようとすると、電圧Ａにおける充電状態はＢ２と求められ、充電状態の推定精度が低くなる。ゆえに、この第１の実施形態にように、現在の状態におけるＳＯＣ−ＯＣＶ曲線を利用することにより、充電状態を高精度に測定することが可能となる。
【００６７】
電池特性推定部２５により算出されたＳＯＣ−ＯＣＶ曲線は、ＳＯＣ推定部２３に取得され、ＳＯＣ推定部２３が、ＳＯＣ−ＯＣＶ曲線に基づき、蓄電池１のＳＯＣを推定してもよい。
【００６８】
したがって、第１実施形態によれば、特別な充放電などを行うことなく、使用に伴い変化する充電量と開回路電圧との関係（充電量―ＯＣＶ曲線又はＳＯＣ−ＯＣＶ曲線）を正確に把握することができ、充電状態を高精度に推定することが可能となる。
【００６９】
なお、ここでは、二次電池の正極、負極がそれぞれ１種類の活物質からなる場合について説明したが、二次電池の正極、負極のいずれかが複数の活物質からなる二次電池に対しても同様に適用することが可能である。また、蓄電池１の活物質量を記憶する他の記憶部が予め用意されている場合には、電池特性算出部２５３は、この他の記憶部に記憶された活物質量を用いて、予め定められた蓄電池の電圧範囲における二次電池の充電量と開回路電圧との関係を示すグラフを算出することができる。
【００７０】
電池特性算出部２５３は、その他の電池特性も算出してよい。例えば、算出した開回路電圧等を用いて、蓄電池１の電圧、電力又は電力量を算出してもよい。算出方法は、下記に示す算出式などを用いればよい。下記の算出式のｃは所定の定数を示す。
（電圧）
電圧＝開回路電圧−ｃ×内部抵抗×電流
（電力）
電力＝電流×開回路電圧−ｃ×内部抵抗×（電流）２
（電力量）
電力量＝電池容量×平均電圧
なお、内部抵抗は、内部状態パラメータ算出部２５２が算出した推定値を用いてもよいし、後述する内部抵抗補正部２６が補正した推定値を用いてもよい。また、電池特性算出部２５３は、一度算出した電池特性を、内部抵抗補正部２６が補正した推定値を用いて、算出し直してもよい。内部抵抗補正部２６が算出した推定値のほうが精度を向上させることができる。電流は計測部２２の計測データから取得すればよい。なお、電池特性算出部２５３は、算出に必要な式、定数の値などを、記憶部２４などを介して受け取ってもよい。
【００７１】
内部抵抗補正部２６は、電池特性推定部２５より算出された内部抵抗Ｒと、計測部２２で計測された温度Ｔに基づき、現在の蓄電池１の温度Ｔにおける内部抵抗へ補正する。補正後の内部抵抗Ｒｃｒとする。なお、内部抵抗を補正しないときは、内部抵抗補正部２６はなくともよい。
【００７２】
内部抵抗補正部２６が行う内部抵抗の温度補正について説明する。内部抵抗の温度補正とは、例えば、電池特性推定部２５の処理にて説明したように、充放電曲線から、各活物質の充電量−ＯＣＶデータを参照し、電池容量、内部抵抗、及び正負極の各活物質の劣化の程度を推算する蓄電池性能診断方法に対し、温度の影響を補正する手段を提供し、蓄電池性能診断を良好に適用することができる温度範囲を拡大するものである。
【００７３】
その原理と方法について、説明する。リチウムイオン二次電池は、対向する正極と負極と、正負極間のＬｉ塩を含む電解質とを有する。また、正極及び負極には、活物質が集電箔上に塗布されている。集電箔は、蓄電池外装の正極及び負極端子にそれぞれ接続されている。蓄電池の充放電時には、電解質を通じてＬｉイオンが正極活物質と負極活物質間を移動し、電子が活物質から外部端子へ流れる。
【００７４】
活物質は、物質ごとに、可逆に挿入又は脱離可能なＬｉ量と電位を有している。一定の充放電電圧の範囲にて、蓄電池が貯蔵できるエネルギー量は、蓄電池内の正極活物質と負極活物質の量及びその組み合わせにより決定される。
【００７５】
また、充放電時にはＬｉイオン伝導、電解質中のＬｉイオンが活物質内部へ侵入する際の電荷移動抵抗、電解質と活物質の界面に形成される被膜による抵抗、活物質や集電箔を電子が流れる電気抵抗が生じる。蓄電池の内部抵抗は、これらＬｉイオンの移動、電子の移動、電荷移動抵抗、被膜の抵抗、並びに正極及び負極内での拡散抵抗などの総和となる。
【００７６】
一般的に、リチウムイオン二次電池内部の蓄電池制御システムでは、安全性の観点から、各単位電池の電圧、電池パック内の温度などを計測している。これらの計測データに基づき、電池特性を算出することができれば、算出に係る費用及び時間を抑えることができる。
【００７７】
しかしながら、充電放電条件が細かくランダムに変動する実使用時の蓄電池挙動を解析することは非常に難しい。時間に依存する抵抗、拡散抵抗、及び緩和過程などが複雑に複合された現象となり、計算モデル化が容易ではないからである。一方で、例えば、一定条件下で行われた電気自動車の充電のような単純な挙動のみを対象とすれば、簡略化モデルにより、解析が可能となる。
【００７８】
そこで、本実施形態に係る蓄電池性能推定方法では、一定条件下での充電又は放電のデータ（充放電カーブ）により求められた、各活物質のＬｉ挿入脱離反応に対する「電位−充電量」のカーブ（曲線）に基づき、各活物質の量、充電電流の印加に伴う内部抵抗による蓄電池電圧の上昇（過電圧）を変数として、フィッティング計算により変数の値を定める。これにより容量減少（各活物質の減少）及び内部抵抗の増加を推定することができる。
【００７９】
しかし、実際の蓄電池の使用状況下では、外部環境、充電時の蓄電池の状態などにより温度条件が変動する。蓄電池の温度が変化すると蓄電池性能も変化する。特に内部抵抗は、温度の低下に大きくより増加する。図８は、各温度におけるＳＯＣと反応抵抗Ｒｃｔとの関係の一例を示す図である。反応抵抗Ｒｃｔは内部抵抗の成分の１つである。図８に示す通り、温度の違いにより、反応抵抗が大きく異なることが分かる。このため、温度が異なる測定データの解析結果を比較しても、温度による解析結果の変動が大きく影響し、劣化による内部抵抗の増加の評価は難しい。
【００８０】
したがって、実使用下の蓄電池の測定データに基づき、電池特性を推定する場合、内部抵抗の温度補正を行うことにより、電池特性の精度が向上する。
【００８１】
蓄電池の内部抵抗は、複数の種類の抵抗成分が複合されている。各抵抗成分は、温度依存性及び劣化による増加速度が異なる。そのため、劣化の進行により、抵抗の占める割合が変化し、それに伴い内部抵抗全体としての温度依存性も変化する。このことに着目して、本実施形態の蓄電池性能推定方法における内部抵抗の温度補正は、内部抵抗を、反応抵抗Ｒｃｔ、拡散抵抗Ｒｄ、及びオーミック抵抗Ｒｏｈｍの３つの成分に分け、それぞれ固有の温度依存性に従い、基準温度Ｔ０に応じた値へ補正した後で、合算する。
【００８２】
具体的には、以下の数式により、測定時の蓄電池温度から基準温度への補正を行う。なお、下記の式中のＲｇａｓは気体定数を表す。Ｔ０は基準温度、Ｔは測定時の蓄電池温度を表す。Ｒ１は定数を表す。Ｅａ、Ｅｂ、Ｅｃは、それぞれの抵抗成分の温度依存性を決定する定数である。
【００８３】
（反応抵抗）
Ｒｃｔ（Ｔ０）＝Ｒｃｔ（Ｔ）×Ｅｘｐ（−Ｅａ／（Ｒｇａｓ・Ｔ））／Ｅｘｐ（−Ｅａ／（Ｒｇａｓ・Ｔ０））
【００８４】
（拡散抵抗）
Ｒｄ（Ｔ０）＝Ｒｄ（Ｔ）×Ｅｘｐ（−Ｅｂ／（Ｒｇａｓ・Ｔ））／Ｅｘｐ（−Ｅｂ／（Ｒｇａｓ・Ｔ０））
【００８５】
（オーミック抵抗）
Ｒｏｈｍ（Ｔ０）＝（Ｒｏｈｍ（Ｔ）−Ｒ１）×Ｅｘｐ（−Ｅｃ／（Ｒｇａｓ・Ｔ））／Ｅｘｐ（−Ｅｃ／（Ｒｇａｓ・Ｔ０））＋Ｒ１
【００８６】
図９は、各抵抗成分について説明する図である。オーミック抵抗は、電解液のイオン伝導抵抗と蓄電池内の電子伝導抵抗とを含む。温度依存性が相対的に小さい電子伝導抵抗は、定数とする。反応抵抗は、電荷移動抵抗と表面被膜の抵抗とを含む。拡散抵抗は、活物質内部、電極内のリチウムイオン拡散に伴う抵抗を含む。
【００８７】
オーミック抵抗のＥｃは、Ｌｉイオンの電解液中での移動に伴う活性化エネルギーを表す。反応抵抗のＥａは、電解液中で溶媒和されたＬｉイオンが活物質表面で脱溶媒和する際のエネルギーを表す。拡散抵抗のＥｂは、活物質内部におけるＬｉイオンサイト間移動に伴う活性化エネルギーと考察される。従って、劣化過程ではこれらの値は一定で変化しないと考えることが出来る。
【００８８】
これらＥａ、Ｅｂ、Ｅｃの値は、単位電池の交流インピーダンス測定、電流パルス測定等により算出することができる。解析対象とする蓄電池に関するＥａ、Ｅｂ、Ｅｃの値は、予め測定値から算出しておき、記憶部２４に記憶する。そして、内部抵抗の温度補正演算時に参照すればよい。
【００８９】
次に、充放電カーブからの電池特性の推算において、内部抵抗を３つの成分に分けて算出する方法について説明する。
【００９０】
蓄電池の劣化過程において、内部抵抗の３つの成分はいずれも上昇するが、劣化による増加の速度は、各成分により異なる。そのため、評価する蓄電池寿命の範囲を限定することにより、劣化しないという仮定が成立する場合もあり得る。例えば、電気自動車用の蓄電池であって、評価の下限を残容量９０〜７０％程度までと想定した場合は、使用条件、蓄電池の構成などにも影響されるが、蓄電池寿命を通じて、一部の抵抗成分を一定値と近似できることもあり得る。
【００９１】
（第一の方法）
算出された蓄電池の内部抵抗値からの３成分の算出を行う第一の方法は、オーミック抵抗成分及び拡散抵抗成分を一定とみなして、残差を反応抵抗とみなす方法である。この方法では、オーミック抵抗成分及び拡散抵抗成分については、劣化による増加が生じないと想定し、セル温度に依存する温度変化のみを考慮する。充放電曲線の解析においては、ある温度Ｔに対して推定された内部抵抗値から、温度Ｔにおけるオーミック抵抗成分及び拡散抵抗成分を引き、その残りを反応抵抗成分とする。そして、それぞれの成分を基準温度Ｔ０へ温度補正した上で合計し、基準温度Ｔ０における内部抵抗値を算出する。第一の方法は、正負極の活物質が安定しているＳＯＣの範囲内であって、温度は室温付近以下、蓄電池の電流は比較的小さいといった緩やかな使い方がされる場合に適する。
【００９２】
（第二の方法）
第二の方法は、オーミック抵抗成分及び拡散抵抗成分を、これら２つの抵抗成分それぞれと、累積時間又は累積電力量との関係に関する関数により推算し、残差を反応抵抗とする方法である。この方法では、オーミック抵抗成分及び拡散抵抗成分についての劣化が、時間又は充放電サイクル量に相関すると想定して、オーミック抵抗成分及び拡散抵抗成分を算出する。充放電曲線の解析においては、ある温度Ｔに対して推定された内部抵抗値から、算出されたオーミック抵抗成分及び拡散抵抗成分を引き、残りを反応抵抗成分とする。そして、それぞれの成分を基準温度Ｔ０へ温度補正した上で合計し、基準温度Ｔ０における内部抵抗値を算出する。第二の方法は、オーミック抵抗成分及び拡散抵抗成分の劣化が、比較的小さいけれども、確実に進行する場合に適している。
【００９３】
また、累積時間又は累積電力量のいずれかを用いるかは、使用環境などに応じて、決定すればよい。例えば、貯蔵時にガスが発生するなどして、蓄電池の劣化が進む場合には、累積時間による劣化量推定が適している。一方、活物質の体積変化など、充放電などの処理のサイクルの繰り返しによる蓄電池の劣化が顕著な場合には、累積電力量による劣化量推定が適している。
【００９４】
なお、累積時間又は累積電力量のデータは、予め保持しておくものとする。累積電力量は、機器の稼動量、例えば、車両であれば走行距離で代替してもよい。
【００９５】
（第三の方法）
第三の方法は、反応抵抗成分及び拡散抵抗成分が、予め保持する各活物資の拡散抵抗と充電量とのデータ、又は反応抵抗と充電量とのデータにより推算され、残差をオーミック抵抗成分とする方法である。第三の方法においては、第一及び第二の方法とは異なり、充放電曲線の解析において、活物質の反応抵抗−充電量カーブ、拡散抵抗−充電量カーブ、又は蓄電池の内部抵抗−充電量カーブを参照して回帰計算することにより、反応抵抗及び拡散抵抗の値を推定する方法である。活物質の抵抗成分が充電量、すなわちＳＯＣに対して依存性を有しており、劣化してもその依存性の傾向は変化しないことを利用して、蓄電池の内部抵抗−充電量の傾向から、内部抵抗の組成の推定を行う。
【００９６】
活物質の反応抵抗−充電量カーブ及び拡散抵抗−充電量カーブは、予め測定する必要がある。また、劣化による変化の様態も蓄電池の構成によるため、予め測定しておく必要がある。例えば、抵抗性の表面被膜が形成される場合では、内部抵抗が一様に一定値ずつ増加し、活物質が減少する場合には、一様にｎ倍となるような挙動をとると考えられる。
【００９７】
第三の方法は、反応抵抗−充電量に顕著な変化があり、その結果として蓄電池としての反応抵抗に充電量の依存性が明確に現れている場合に適している。
【００９８】
（第四の方法）
第四の方法は、予め保持する各活物資の拡散抵抗−充電量、反応抵抗−充電量、及びオーミック抵抗−充電量データを用いて回帰計算することにより、反応抵抗成分、オーミック抵抗成分、及び拡散抵抗成分を推定する方法である。第三の方法では、拡散抵抗−充電量、反応抵抗−充電量のみを用いたが、第四の方法では、オーミック抵抗−充電量データも用いることが特徴である。活物質のオーミック抵抗−充電量の依存性に特徴がある場合、例えば、充放電により活物質の電子導電性が大きく変化する場合に有効である。
【００９９】
電池特性算出部２５３は、補正された内部抵抗を用いて、実際に出力可能な電力量等を電池特性として算出してもよい。実際に出力可能な電力量は、充電量−ＯＣＶ曲線と、放電可能な電気量と、補正された内部抵抗とに基づき算出することができる。
【０１００】
充電パターン作成部２７は、電池特性推定部２５が推定した内部状態パラメータ又は電池特性の推定値と、劣化速度の指定値とに基づき、充電パターンを算出する。充電パターンにおける充電電流の値は、充電による劣化速度が指定された値以下になるように算出される。
【０１０１】
劣化速度は、二次電池の劣化が進行する速度を示す。劣化速度の指定値は、予め劣化情報記憶部２７１に記憶されていてもよいし、図示されていない入力部を介して、ユーザ等から受け付けてもよい。
【０１０２】
劣化情報記憶部２７１は、充電制御装置２が蓄電池１の充電パターンを算出する際に必要となる、二次電池の劣化に関する情報（データ）を格納する。以降、当該情報を劣化情報と記載する。劣化情報は、充電パターンを算出する際に参照されるグラフ又は関数などの参照データと言える。なお、蓄電池１と区別し易くするために、劣化情報には、少なくとも劣化モデル又は劣化マップが含まれる。
【０１０３】
劣化情報記憶部２７１は、劣化情報以外の情報を記憶してもよい。例えば、充電パターン作成部２７の処理に用いられる制約条件などを記憶してもよい。作成された充電パターンが記憶されてもよい。なお、劣化情報記憶部２７１は記憶部２４と同一でもよい。
【０１０４】
まず、劣化モデルについて説明する。図１０は、劣化モデルについて説明する図である。図１０には、劣化速度を算出するためのグラフである劣化速度算出グラフの例が示されている。劣化速度算出グラフは、二次電池に関するパラメータと劣化速度との関係を示すグラフである。以降、この二次電池に関するパラメータを、参照パラメータと記載する。
【０１０５】
劣化モデルとは、二次電池の劣化がどのように進行するかを表したものであり、例えばこれら劣化速度算出グラフ全体を指す。劣化速度算出グラフは、二次電池に対して行われた検査の結果に基づき算出されたグラフである。本実施形態では、劣化速度算出グラフは予め算出され、劣化情報記憶部２７１に記憶されていることを想定する。
【０１０６】
劣化速度算出グラフは、ある前提条件を満たす複数の二次電池の検査結果から導出される。前提条件は特に限られるものではなく、様々な前提条件があるとする。例えば、単位電池の正極の活物質量が所定の範囲内であることを前提条件とする。そして、当該前提条件を満たす複数の二次電池に対し検査を行い、検査結果に基づき劣化速度算出グラフを算出する。この際、検査結果に対して内部状態パラメータの推定を行い、正極活物質量の変化および負極活物質量の変化より、正極劣化モデルと負極劣化モデルを得ることができる。蓄電池１の正極の活物質量が当該所定の範囲に含まれる場合、つまり蓄電池１が当該前提条件を満たす場合、当該前提条件により算出された劣化速度算出グラフにより、蓄電池１の劣化速度が予測できる。また、劣化速度算出グラフの作成方法は、特に限られるものではなく、任意に定めてよい。
【０１０７】
その他にも、例えば、二次電池の保管又は使用時の環境に関する事項を前提条件としてもよい。環境に関する前提条件として、温度、湿度といった事項が考えられる。また、例えば、二次電池の使用履歴に関する事項を前提条件としてもよい。使用履歴に関する前提条件として、充電又は放電の回数、使用された総時間などが考えられる。
【０１０８】
二次電池の劣化の原因としては、電解液との反応性、活物質の膨張収縮による破損などが想定されるが、二次電池の劣化の原因を特定することは容易ではない。また、二次電池の保管状況、使用履歴等により劣化の状況も異なる。ゆえに、予め様々な前提条件及び参照パラメータにおける劣化速度算出グラフを算出しておき、蓄電池１の状態に合致する劣化速度算出グラフを用いる。つまり、蓄電池１の状態と同程度の状態である二次電池の検査結果に基づき算出された劣化速度算出グラフが用いられる。これにより、蓄電池１の劣化速度を精度良く予測することができる。
【０１０９】
様々な種類の検査が行われることにより、参照パラメータも多数の種類があるとする。例えば、正極又は負極の活物質のＳＯＣ、Ｃ−ｒａｔｅ（充放電電流値）、電位といった二次電池の状態を示す参照パラメータが考えられる。また、温度、湿度など環境に関する事項又は二次電池の使用履歴に関する事項を参照パラメータとして用いてもよい。なお、前提条件は、定数である参照パラメータとも言える。
【０１１０】
図１０（Ａ）は、ある前提条件を満たす二次電池におけるＳＯＣと正極の劣化速度との関係を示す（ＳＯＣ−劣化速度）グラフである。横軸がＳＯＣを示し、縦軸が正極の相対的な劣化速度を示す。相対的な劣化速度は、劣化速度が最も低いときの値を１としたときの相対値を示す。以降、特に断りがないときは、劣化速度は相対値を表すものとする。図１０（Ａ）は、ある前提条件を満たす二次電池のＳＯＣが２０％から６０％のときは正極の劣化速度が低く、ＳＯＣが２０％未満までと、ＳＯＣが６０％を超えたときは正極の劣化速度が高いことを示す。
【０１１１】
図１０（Ｂ）は、ある前提条件を満たす二次電池におけるＳＯＣと負極の劣化速度との関係を示すグラフである。図１０（Ａ）のグラフと異なり、ＳＯＣが２０％未満までの範囲においても、負極の劣化速度が低い。このように、同じ参照パラメータであっても、正極と負極とで劣化速度が同じとは限らない。
【０１１２】
図１０（Ｃ）は、二次電池の温度と劣化速度との関係を示すグラフである。使用時、保管時などにおける温度に対する劣化速度の依存性が示される。図１０（Ｄ）は、二次電池のＣ−ｒａｔｅと劣化速度との関係を示すグラフである。劣化速度のＣ−ｒａｔｅに対する劣化速度の依存性が示されている。
【０１１３】
なお、劣化速度算出グラフの代わりに、劣化速度を算出するための関数を用いてもよい。例えば、劣化速度算出グラフの近似関数を用いてもよい。
【０１１４】
次に劣化マップについて説明する。図１１は劣化マップについて説明する図である。劣化マップは、複数の要素から成る多次元のグラフであり、劣化モデルの劣化速度算出グラフの集合体である。例えば、劣化マップは温度とＳＯＣと充電電流値に対して劣化速度を定量的にマップ化したものである。なお、劣化マップも、劣化モデル同様、正極及び負極ごとに存在してよい。正極劣化マップと負極劣化マップから二次電池の劣化マップが作成できる。
【０１１５】
図１１（Ａ）は、ＳＯＣがある値のときの、温度と、Ｃ−ｒａｔｅと、劣化速度の３つの参照パラメータの関係を示す３次元グラフである。図１１（Ａ）の劣化マップは、ＳＯＣの値ごとに存在する。温度の軸に垂直な平面における図１１（Ａ）の断面グラフ（２次元グラフ）は、前提条件がＳＯＣと温度であって、参照パラメータがＣ−ｒａｔｅである劣化速度算出グラフになる。Ｃ−Ｒａｔｅの軸に垂直な平面における図１１（Ａ）の断面グラフは、前提条件がＳＯＣとＣ−ｒａｔｅであって、参照パラメータが温度である劣化速度算出グラフになる。このように、前提条件は参照パラメータの１種である。
【０１１６】
図１１（Ｂ）は、ＳＯＣと、温度と、二次電池に対する充電電流の上限値との３つの参照パラメータの関係を示す３次元グラフである。なお、充電電流の上限値を、電流上限値（第１上限値）と記載する。温度及び許容できる劣化速度が指定された場合、ＳＯＣの値ごとの図１１（Ａ）を用いて、ＳＯＣの値ごとのＣ−ｒａｔｅの値が算出されることにより、図１１（Ｂ）が生成される。
【０１１７】
例えば、図１１（Ａ）のグラフは、ＳＯＣが４０％のときのグラフとする。そして、前提条件として温度が−１０℃、許容できる劣化速度が２０以下と指定されたとする。図１１（Ａ）により、Ｃ−ｒａｔｅの最大値は４Ｃと判明する。１Ｃ−ｒａｔｅは、電池容量限度まで充電（放電）された二次電池の電気を１時間で放電（充電）するための電流値に等しい。二次電池の電池容量が２５００ｍＡｈとした場合、Ｃ−ｒａｔｅの最大値が４Ｃのため、電流上限値は１０Ａとなる。そして、ＳＯＣが４０％、温度が−１０℃、電流上限値が１０Ａの点がプロットされて、図１１（Ｂ）のようになる。
【０１１８】
なお、図１１（Ａ）と図１１（Ｂ）では、参照パラメータがＣ−ｒａｔｅとＳＯＣで異なっていたために、Ｃ−ｒａｔｅとＳＯＣの変換を行ったが、参照パラメータが、図１１（Ａ）と図１１（Ｂ）で同じの場合もあり得る。また、説明の便宜上、図１１（Ａ）と図１１（Ｂ）の２つの劣化マップを用いて説明したが、図１１（Ａ）と図１１（Ｂ）が合わさった劣化マップでもよい。
【０１１９】
このように劣化モデル及び劣化マップは、二次電池の劣化速度と、ＳＯＣ、Ｃ−ｒａｔｅなどの１つ以上の参照パラメータと、電流上限値との関係を示すデータを含む。
【０１２０】
なお、充電パターン作成部２７は、劣化モデルに基づき劣化マップを生成してもよいし、劣化マップに基づき劣化モデルを生成してもよい。
【０１２１】
劣化情報取得部２７２は、電池特性推定部２５から、内部状態パラメータ及び電池特性の少なくともいずれかに係る推定値を取得する。そして、取得した推定値に基づき、劣化情報記憶部２７１から、蓄電池１に対応する劣化情報（第１参照データ）を取得する。なお、正極に係る推定値に基づき正極に対応する劣化情報（第２参照データ）を取得し、負極に係る推定値に基づき負極に対応する劣化情報（第３参照データ）を取得してもよい。例えば、内部状態パラメータとして算出された正極又は負極の初期充電量に基づいて劣化情報が取得されてもよい。例えば、内部状態パラメータとして算出された正極又は負極の質量に基づいて劣化情報が取得されてもよい。例えば、電池特性として算出された開回路電圧に基づいて劣化情報が取得されてもよい。
【０１２２】
予め劣化情報を作成しておくにあたっての二次電池の前提条件を、蓄電池１の推定値が満たす場合、当該劣化情報は蓄電池１に対応すると言える。例えば、正極の活物質量が所定の範囲内であるという前提条件を満たす複数の二次電池に基づき劣化情報が作成されていた場合に、蓄電池１の正極の活物質量の推定値が当該所定の範囲内であるときは、当該劣化情報は蓄電池１に対応すると言える。また、蓄電池１に対応する劣化情報とは、蓄電池１の充電パターンを作成するのに適した劣化情報と言える。
【０１２３】
なお、劣化情報取得部２７２は、複数の推定値に基づいて、劣化情報を取得してもよい。複数の推定値に合致する劣化情報を用いた場合、１つの推定値に合致する劣化情報を用いた場合よりも、電流上限値の精度は向上すると考えられる。
【０１２４】
上限値データ算出部２７３は、蓄電池１に対応するとされた劣化情報と、指定された劣化速度の値に基づき、劣化進行を考慮した、蓄電池１の電流上限値を算出する。ここでは、劣化速度が指定値以下となるための電流上限値を算出する。
【０１２５】
図１２は、充電電流の上限値の算出について説明する図である。図１２（Ａ）のグラフは、劣化進行を考慮した場合における、蓄電池１のＳＯＣと、蓄電池１の正極における電流上限値との関係を示す。図１２（Ｂ）のグラフは、劣化進行を考慮した場合における、蓄電池１のＳＯＣと、蓄電池１の負極における電流上限値との関係を示す。このように、上限値データ算出部２７３は、参照パラメータと電流上限値との関係を示す、グラフ又は関数などのデータを算出する。当該関係データを上限値データと記載する。
【０１２６】
なお、図１２（Ａ）及び（Ｂ）のように、上限値データ算出部２７３は、正極及び負極の両方に対し、参照パラメータと、充電電流の各極における電流上限値との関係を示す上限値データを算出してもよい。例えば、図１１（Ｂ）が二次電池の正極に係る劣化マップであり、前提条件として温度が−１０℃の場合を想定する。当該想定の場合、図１１（Ｂ）の−１０℃におけるグラフが、図１２（Ａ）になる。
【０１２７】
図１２（Ｃ）は、蓄電池１の電流上限値を示す図である。図１２（Ａ）と図１２（Ｂ）とを比較して分かるように、劣化進行を考慮した場合において各極の電流上限値は、正極と負極とで異なる場合もある。このような場合、電流上限値（第１上限値）は、正極における電流上限値（第２上限値）と、負極における電流上限値（第３上限値）とに基づき定められる。一方の電極における電流上限値が高くとも、他方の電極における電流上限値が低い場合において、電流上限値を高い方にすると、他方の電極の劣化速度が上昇してしまう。したがって、電流上限値は、正極における電流上限値と、負極における電流上限値とのうち、小さい方に依存することが好ましい。これにより、正極及び負極それぞれの劣化を考慮した充電パターンを算出することができる。
【０１２８】
例えば、図１２では、ＳＯＣが０から２０％の範囲において、正極の電流上限値は負極の電流上限値よりも小さい。したがって、ＳＯＣが０から２０％の範囲において、蓄電池１の電流上限値は正極の電流上限値と一致する。また、ＳＯＣが７０から１００％の範囲において、正極の電流上限値は負極の電流上限値よりも大きい。したがって、ＳＯＣが７０から１００％の範囲において、蓄電池１の電流上限値は負極の電流上限値と一致する。なお、図１２（Ｃ）では、電流上限値を、正極の電流上限値及び負極の電流上限値の小さい方に一致させたが、電流上限値は、正極の電流上限値及び負極の電流上限値の小さい方よりも小さくてもよい。
【０１２９】
図１２（Ｄ）は、参照パラメータとして電圧が用いられた上限値データである。充電が行われると、蓄電池１の電圧が上昇する。図１２（Ｄ）では、電圧が３Ｖから３．３Ｖ付近までの範囲が、ＳＯＣが０から２０％の範囲に該当する。電圧が３．３Ｖ付近から３．８Ｖ付近までの範囲が、ＳＯＣが２０から６０％の範囲に該当する。電圧が３．８Ｖ付近から４．２Ｖ付近までの範囲が、ＳＯＣが６０から１００％の範囲に該当する。ＳＯＣからの電圧への変換は、電池特性推定部２５が算出したＳＯＣ−ＯＣＶ曲線と、上述の電圧の算出式を用いればよい。このように、上限値データに係るパラメータは、様々な参照パラメータを用いてよい。
【０１３０】
なお、図１２の例では、ＳＯＣに係る上限値データに基づき、蓄電池１の電圧に係る上限値データを算出すると説明した。つまり、図１２（Ｃ）から図１２（Ｄ）を生成することを想定した。しかし、正極のＳＯＣに係る上限値データを、正極の電圧に係る上限値データに変換し、負極のＳＯＣに係る上限値データを、負極の電圧に係る上限値データに変換し、正極の電圧に係る上限値データと負極の電圧に係る上限値データを統合することにより、蓄電池１の電圧に係る上限値データが算出されてもよい。
【０１３１】
なお、電流上限値は、所定の充電制約条件を考慮して、さらに小さくしてもよい。充電制約条件は、例えば、蓄電池１の入力規格、充電制御装置２の出力規格等がある。
【０１３２】
このようにして、上限値データ算出部２７３は、劣化速度が指定された値以下となるための充電電流の上限値を算出し、算出された上限値と、ある参照パラメータとの関係を示す上限値データを算出する。
【０１３３】
充電パターン算出部２７４は、上限値データ算出部２７３により算出された上限値データに基づき、充電パターンを算出する。充電パターンは、蓄電池１が充電される期間において、参照パラメータと充電電流の値（電流値）との関係を示すデータである。図１３は、充電パターンの算出について説明する図である。図１３の棒グラフは、参照パラメータと、充電電流の値との関係を示す。図１３の棒グラフの集合が、充電パターンと言える。図１３に示すように、電流値は、電流上限値を超えないように定められる。
【０１３４】
ここでは、定電流充電区間における充電パターンを想定するため、充電期間内の複数の区間において、電流値が一定とされている。電流値は、上限値以下であれば任意に定めてよい。複数の区間における電流上限値の最低値を、当該区間における充電電流の値としてもよい。電流値の算出方法は、複数の区間ごとに異なってもよい。なお、定電流という条件がなければ、定電流にしなくともよい。例えば、充電パターンの電流値は、電流上限値の数％小さい値としてもよい。
【０１３５】
図１３では、上限値データの上限値が変化するごとに、充電期間内の複数の区間が定められている。つまり、算出される充電パターンは、劣化速度の上限値が異なる複数の区間に分けられ、当該区間において充電電流の値が定まる。ゆえに、充電電流の値を許容可能な範囲で大きくすれば、劣化を抑えつつも高速に蓄電池１を充電することができる。また、蓄電池１の内部の状態を把握するための複雑な検査を行わなくとも、蓄電池１の電圧及び電流の計測データに基づいて、蓄電池１の内部の状態を把握でき、充電パターンの電流値が劣化速度の許容範囲にある可能性が高まる。
【０１３６】
なお、充電パターンの電流値は、各区間において一定と想定しているが、充電パターンの電流値を、上限値と下限値が定められた範囲と指定してもよい。例えば、一度算出された電流上限値の上下数％程度の範囲を、充電パターンの電流値として指定してもよい。これにより、充電中に計測部２２により測定された蓄電池１の状態等を考慮して、充放電制御部２１が当該範囲内において電流値を調整することができる。
【０１３７】
図１３（Ｂ）に示すように、電圧値に基づく上限データに基づき、電圧値に基づく充電パターンも作成することができる。図１３（Ｂ）のように、充電時に容易に測定することが可能な電圧などを参照パラメータとして用いた充電パターンを算出すれば、計測部２２による電圧の計測結果と連動して、充電を行わせることができる。
【０１３８】
また、電圧値に基づく充電パターンが算出することができれば、内部状態パラメータは測定できなくとも、蓄電池の電圧を測定することができる電子機器でも充電パターンに沿った充電を行うことができる。これにより、内部状態パラメータは直接測定する機能が不要となり、電子機器の製造に係るコストの抑制を図ることができる。
【０１３９】
なお、充電パターンを算出する際に、所定の充電制約条件を考慮して、条件を満たす充電パターンを作成してもよい。例えば、一度算出された充電パターンに従って、蓄電池１を充電した場合に、所定の時間内に充電が終わらないという場合もあり得る。そのような場合、劣化進行と充電時間のいずれを優先させるかにより、充電パターンを変化させてもよい。充電時間を優先させる場合は、例えば、いずれかの区間においては、電流上限値を越えた電流を流すとする充電パターンが算出されてもよい。なお、電流上限値を越えた電流を流す区間は、充電パターンの劣化速度の総和等を比較して決定してもよい。
【０１４０】
図１４は、充電パターン算出処理のフローチャートの一例を示す図である。充電パターン算出処理は、電池特性推定部２５又は内部抵抗補正部２６による蓄電池１の電池特性等が算出されてから、蓄電池１の充電前に行わればよい。
【０１４１】
劣化情報取得部２７２は、電蓄特性推定部２５又は内部抵抗補正部２６から、取得した内部状態パラメータ又は電池特性の推定値に基づき、劣化情報記憶部２７１から、蓄電池１に対応する劣化情報を取得する（Ｓ５０１）。
【０１４２】
なお、劣化情報記憶部２７１がデータベースなどで実現されている場合は、電池特性等が属性として劣化情報と対応して記録しておけば、ＲＤＢＭＳなどの管理機能を用いることにより、電池特性等の推定値に基づき劣化情報を抽出することができる。なお、推定値と、劣化情報に対応する電池特性等の値は、完全に一致しなくとも所定の許容範囲内であれば抽出してもよい。
【０１４３】
上限値データ算出部２７３は、劣化情報取得部２７２により取得された劣化情報に基づき、正極及び負極において、参照パラメータと、電流上限値との関係を示す上限値データを算出する（Ｓ５０２）。上限値データ算出部２７３は、正極及び負極の上限値データを統合して、蓄電池１の上限値データを算出する（Ｓ５０３）。充電パターン算出部２７４は、上限値データ算出部２７３により算出された蓄電池１の上限値データに基づき、充電パターンを算出する（Ｓ５０４）。以上が、充電パターン算出処理のフローチャートである。なお、算出された充電パターンは、劣化情報記憶部２７１に送られてもよいし、記憶部２４に送られてもよいし、充放電制御部２１に送られてもよい。
【０１４４】
なお、一度算出された充電パターンは、蓄電池１の状態に変化があったと判断された場合に再作成されてもよい。蓄電池１の状態に変化があったと判断するのは、電池特性推定部２５でもよいし、充電パターン作成部２７でもよい。又は、図示されていない出力部を介して蓄電池１の状態を出力し、当該出力を見た蓄電池１のユーザ、充電制御装置２の管理者等が、図示されていない入力部を介して、充電パターンの更新を指示してもよい。
【０１４５】
蓄電池１の状態に変化があったか否かは、予め更新のための基準値を定めておき、基準値に基づき判断すればよい。例えば、電池容量が基準値よりも低下した場合、内部抵抗が基準値よりも増加した場合、又は内部状態パラメータの変化量が基準値よりも大きい場合に、蓄電池１の状態が変化したと判断してもよい。当該基準値は任意に定めてよい。
【０１４６】
図１５は、充電パターン更新処理のフローチャートの一例を示す図である。ここでは、充電パターン作成部２７が更新を判断することを想定する。劣化情報取得部２７２が、電池特性推定部２５又は内部抵抗補正部２６から電池特性等の推定値を取得し、取得した電池特性等に対応する更新条件を劣化情報記憶部２７１から取得する（Ｓ６０１）。更新条件は、予め劣化情報記憶部２７１に記憶されていることを想定する。そして、劣化情報取得部２７２は、取得した電池特性等が更新条件を満たすかを確認する（Ｓ６０２）。
【０１４７】
電池特性等が更新条件を満たさない場合（Ｓ６０３のＮＯ）は、更新処理が終了する。電池特性等が更新条件を満たす場合（Ｓ６０３のＹＥＳ）は、充電パターン作成処理を開始する（Ｓ６０４）。
【０１４８】
なお、推定値が複数ある場合、劣化情報取得部２７２は、少なくとも１つの電池特性等が更新条件を満たす場合に更新を行うと判断してもよい。若しくは、所定数以上又は全ての電池特性等が更新条件を満たす場合に更新を行うと判断してもよい。また、推定値が更新条件を満たすか否かを確認するのは、劣化情報取得部２７２に限られるわけではない。
【０１４９】
なお、上記では、充電パターンの更新は、電池特性推定部２５等による電池特性等の推定値が更新条件を満たす場合に行われることを想定した。しかし、充電制御装置２の負荷等の問題により、電池特性等の推定処理を頻繁に行えない場合もあり得る。このような場合は、充電パターン算出部２７４は、電池特性等の予想値に基づいて、更新条件を満たすか否かを判断してもよい。これにより、蓄電池１の検査の間隔を長くしても、充電パターンの更新が行われない事態を防ぐことができる。電池特性等の予想値は、充電パターン算出部２７４が劣化情報に基づいて算出してもよい。又は、劣化情報ではなく、所定の予測式に基づいて算出されてもよい。
【０１５０】
以上のように、第１の実施形態によれば、二次電池の電圧及び電流に基づき、蓄電池１の内部状態パラメータ及び電池特性を推定することができる。そして、内部状態パラメータ又は電池特性の推移値に基づき、充電による劣化速度が指定値以下となるような充電パターンを作成することができる。当該充電パターンに基づき充電が行われることにより、高速に蓄電池１を充電しても、蓄電池１の劣化を許容範囲に抑えることができる。
【０１５１】
（第２の実施形態）
第１の実施形態では、劣化情報取得部２７２は、劣化情報記憶部２７１に記憶された劣化情報から、蓄電池１に対応する劣化情報を取得した。しかし、蓄電池１の状態は多岐に渡るため、劣化情報を劣化情報記憶部２７１に全て蓄えるとなると、劣化情報記憶部２７１の容量が肥大化する。また、当該蓄電池１に対応する劣化情報が劣化情報記憶部２７１に無い場合もあり得る。ゆえに、第２の実施形態では、外部からの劣化情報の取得及び更新を行う。これにより、劣化情報記憶部２７１に記憶される劣化情報の量を減らすことができ、充電パターン作成部２７の小型化、及び充電パターン作成部２７の製造に係るコストの削減が実現できる。また、対応する蓄電池１の種類を増やすことができる。
【０１５２】
図１６は、第２の実施形態に係る蓄電システムの概略構成の一例を示すブロック図である。第２の実施形態では、劣化情報取得部２７２が外部と接続されている点が第１の実施形態とは異なる。第１の実施形態と同様の点は、説明を省略する。
【０１５３】
劣化情報取得部２７２は、劣化情報を提供する装置等と、有線若しくは無線通信、又は電気信号にて接続され、データの授受が可能とする。劣化情報を提供する装置等は、特に限られるものではなく、劣化情報が蓄えられている外部データベース３でもよいし、劣化情報を生成し提供する劣化情報提供サーバ４でもよい。以降、劣化情報を提供する装置等を、劣化情報提供装置と記載する。劣化情報取得部２７２は、通信ネットワーク５を介して、劣化情報提供装置と接続されてもよい。又は、デバイスインタフェースにより、外部データベース３と直接又は間接的に接続されていてもよい。
【０１５４】
劣化情報取得部２７２による劣化情報の取得が行われるタイミングは、蓄電池１に対応する劣化情報がない場合に行われることを想定するが、特に限られるものではない。例えば、劣化情報提供装置が新たな劣化情報を生成した場合に行われてもよいし、定期的に行われてもよい。必要な劣化情報が劣化情報記憶部２７１にない場合は、蓄電池１の規格、電池特性、内部状態パラメータなどに基づき、これらに対応する劣化情報が取得される。なお、条件等を指定せずに、劣化情報提供装置から劣化情報を取得してもよい。また、取得した劣化情報のうち、不要とされる劣化情報は、劣化情報記憶部２７１に記憶されなくともよい。
【０１５５】
なお、劣化情報記憶部２７１は、内部に記憶されている劣化情報を削除してもよい。例えば、容量節約のために、使用回数の少ない劣化情報、使用期限が切れた劣化情報など所定の削除条件を満たす劣化情報は、劣化情報記憶部２７１に記憶されていなくともよい。
【０１５６】
なお、劣化情報取得部２７２は、劣化情報以外の情報を取得してもよい。また、劣化情報提供装置以外の装置等とも接続されていてもよい。例えば、蓄電池１を管理するサーバ等から、蓄電池１の今後の使用に関する情報を取得してもよい。例えば、蓄電池１の今後の使用環境、出力予定規格、制限条件等の情報を取得してもよい。そして、今後の使用環境下における蓄電池１の電池特性、内部状態パラメータ、寿命等を電池特性推定部２５が予想した上で、当該予想値に基づき、充電パターンの算出処理が行われてもよい。
【０１５７】
また、劣化情報取得部２７２は、外部の装置等に対し、情報を送信してもよい。例えば、充電パターン算出部２７４が算出した充電パターン、充電パターンの算出に使用された劣化情報又は推定値等を外部の装置等に送信し、外部の装置等により充電パターン等が出力されてもよい。
【０１５８】
図１７は、劣化情報取得処理のフローチャートの一例を示す図である。このフローチャートは、充電パターンを作成する前に劣化情報の取得が行われる場合のフローを示す。
【０１５９】
劣化情報取得部２７２が、電池特性推定部２５又は内部抵抗補正部２６から蓄電池１の電池特性等の推定値を取得する（Ｓ７０１）。充電パターン算出部２７４は、取得された推定値に基づき、蓄電池１に対応する劣化情報が劣化情報記憶部２７１に記憶されているかを確認する（Ｓ７０２）。
【０１６０】
蓄電池１に対応する劣化情報が劣化情報記憶部２７１に記憶されている場合は（Ｓ７０３のＹＥＳ）は、フローは終了する。蓄電池１に対応する劣化情報が劣化情報記憶部２７１に記憶されていない場合（Ｓ７０３のＮＯ）は、劣化情報取得部２７２が劣化情報提供装置へ問い合わせを行う（Ｓ７０４）。当該問い合わせには、取得された推定値が含まれているとする。
【０１６１】
劣化情報提供装置は、受信した電池特性等の推定値に基づき、充電パターンの算出に必要とされる劣化情報を送信する（Ｓ７０５）。そして、劣化情報取得部２７２が、送られてきた劣化情報を取得し、充電パターン作成処理に移る（Ｓ７０６）。充電パターン作成処理は、上述の通りである。以上が、劣化情報取得処理のフローである。
【０１６２】
以上のように、第２の実施形態によれば、充電パターンを算出するために必要な劣化情報が劣化情報記憶部２７１に記憶されていなくとも、蓄電池１の電池特性等に基づき、必要な劣化情報を取得することができる。これにより、劣化情報記憶部２７１に記憶しておく劣化情報の量を減らすことができ、充電パターン作成部２７の小型化、又は充電パターン作成部２７の製造に係るコストの削減が実現できる。また、対応する蓄電池１の種類を増やすことができる。
【０１６３】
また、上記に説明した実施形態における各処理は、ソフトウェア（プログラム）によって実現することが可能である。よって、上記に説明した実施形態における充電制御装置２は、例えば、汎用のコンピュータ装置を基本ハードウェアとして用い、コンピュータ装置に搭載されたプロセッサにプログラムを実行させることにより実現することが可能である。
【０１６４】
図１８は、実施形態におけるハードウェア構成の一例を示すブロック図である。充電制御装置２は、プロセッサ６１、主記憶装置６２、補助記憶装置６３、ネットワークインタフェース６４、デバイスインタフェース６５を備え、これらがバス６６を介して接続されたコンピュータ装置６として実現できる。
【０１６５】
プロセッサ６１が、補助記憶装置６３からプログラムを読み出して、主記憶装置６２に展開して、実行することで、充放電制御部２１、計測部２２、ＳＯＣ推定部２３、電池特性推定部２５、内部抵抗補正部２６、充電パターン作成部２７の機能を実現することができる。
【０１６６】
プロセッサ６１は、コンピュータの制御装置及び演算装置を含む電子回路である。プロセッサ６１は、例えば、汎用目的プロセッサ、中央処理装置（ＣＰＵ）、マイクロプロセッサ、デジタル信号プロセッサ（ＤＳＰ）、コントローラ、マイクロコントローラ、状態マシン、特定用途向け集積回路、フィールドプログラマブルゲートアレイ（ＦＰＧＡ）、プログラム可能論理回路（ＰＬＤ）、及びこれらの組合せを用いることができる。
【０１６７】
本実施形態における充電制御装置２は、各装置で実行されるプログラムをコンピュータ装置６に予めインストールすることで実現してもよいし、プログラムをＣＤ−ＲＯＭなどの記憶媒体に記憶して、あるいはネットワークを介して配布して、コンピュータ装置６に適宜インストールすることで実現してもよい。
【０１６８】
主記憶装置６２は、プロセッサ６１が実行する命令、及び各種データ等を一時的に記憶するメモリ装置であり、ＤＲＡＭ等の揮発性メモリでも、ＭＲＡＭ等の不揮発性メモリでもよい。補助記憶装置６３は、プログラムやデータ等を永続的に記憶する記憶装置であり、例えば、フラッシュメモリ等がある。
【０１６９】
ネットワークインタフェース６４は、無線又は有線により、通信ネットワークに接続するためのインタフェースである。劣化情報取得部２７２が劣化情報提供装置と通信を行う場合は、劣化情報取得部２７２の通信処理の機能は、ネットワークインタフェース６４により実現することができる。ここではネットワークインタフェース６４を１つのみ示しているが、複数のネットワークインタフェース６４が搭載されていてもよい。
【０１７０】
デバイスインタフェース６５は、出力結果などを記録する外部記憶媒体７と接続するＵＳＢなどのインタフェースである。劣化情報提供装置が外部記憶媒体７の場合は、劣化情報取得部２７２と外部記憶媒体７とのデータ授受の機能は、デバイスインタフェース６５により実現することができる。外部記憶媒体７は、ＨＤＤ、ＣＤ−Ｒ、ＣＤ−ＲＷ、ＤＶＤ−ＲＡＭ、ＤＶＤ−Ｒ、ＳＡＮ（Ｓｔｏｒａｇｅ  ａｒｅａ  ｎｅｔｗｏｒｋ）等の任意の記録媒体でよい。また、デバイスインタフェース６５を介して、蓄電池１と接続されていてもよい。
【０１７１】
コンピュータ装置６は、プロセッサ６１などを実装している半導体集積回路などの専用のハードウェアにて構成されてもよい。専用のハードウェアは、ＲＡＭ、ＲＯＭなどの記憶装置との組み合わせで構成されてもよい。コンピュータ装置６は蓄電池１の内部に組み込まれていてもよい。
【０１７２】
上記に、本発明の一実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１７３】
１  蓄電池
２  充電制御装置
２１  充放電制御部
２２  計測部
２３  ＳＯＣ推定部
２４  記憶部
２５  電池特性推定部
２５１  充放電履歴記録部
２５２  内部状態パラメータ算出部
２５３  電池特性算出部
２６  内部抵抗補正部
２７  充電パターン作成部
２７１  劣化情報記憶部
２７２  劣化情報取得部
２７３  上限値データ算出部
２７４  充電パターン算出部
３  外部データベース
４  劣化情報提供サーバ
５  通信ネットワーク
６  コンピュータ装置
６１  プロセッサ
６２  主記憶装置
６３  補助記憶装置
６４  ネットワークインタフェース
６５  デバイスインタフェース
６６  バス
７  外部記憶媒体
【図１】
2020092598.tif 000006
【図２】
2020092598.tif 000007
【図３】
2020092598.tif 000008
【図４】
2020092598.tif 000009
【図５】
2020092598.tif 000010
【図６】
2020092598.tif 000011
【図７】
2020092598.tif 000012
【図８】
2020092598.tif 000013
【図９】
2020092598.tif 000014
【図１０】
2020092598.tif 000015
【図１１】
2020092598.tif 000016
【図１２】
2020092598.tif 000017
【図１３】
2020092598.tif 000018
【図１４】
2020092598.tif 000019
【図１５】
2020092598.tif 000020
【図１６】
2020092598.tif 000021
【図１７】
2020092598.tif 000022
【図１８】
2020092598.tif 000023